(57)【要約】      （修正有）【課題】昼間は集光板の光により視認させ、高輝度蓄光板とソーラーで蓄光し、夜間は蓄光板の発光とＬＥＤライト及び反射板により視認させ、また、車などの乗り上げによる圧力から保護するために透明ポリカーボネート保護材で覆うことにより破壊防止効果を発揮し、夜間のふ頭において、端部がわからず人や車が海へ転落するのを防止できる標識灯を提供する。【解決手段】白色人造大理石１に集光板２を固着し、集光板に透明アクリル板３及び側面高輝度蓄光板ａ４、側面高輝度蓄光板ｂ５を固着し、その上面にソーラー本体７とＬＥＤライト８を装備した上面高輝度蓄光板９を固着し、側面高輝度蓄光板ａ４、側面高輝度蓄光板ｂ５の両端に反射板を固着し、透明ポリカーボネート保護板１０を冠着することにより視認効果、落下防止が期待できる。【選択図】図１
0003186703.tif 000002
【実用新案登録請求の範囲】
【請求項１】
白色人造大理石に集光板を固着し、集光板に透明アクリル板及び側面高輝度蓄光板ａ、側面高輝度蓄光板ｂを固着し、その上面にソーラー本体とＬＥＤライトを装備した上面高輝度蓄光板を固着し、側面高輝度蓄光板ａ、側面高輝度蓄光板ｂの両端に反射板（反射シール）を固着し、透明ポリカーボネート保護板を冠着したザ・ガイドオブ・スターライト。
【考案の詳細な説明】
【技術分野】
【０００１】  本考案は、昼夜を問わず発光するザ・ガイドオブ・スターライトに関するものである。
【背景技術】
【０００２】  従来の技術としては、トンネル内の自動車の通行を利用して発電、蓄電した電力を用いて発光・表示することが可能な非常用表示サインを有するものがある。（例えば特許文献１参照）
【先行技術文献】
【特許文献】
【０００３】
【特許文献１】  特許公開２０１２−１０６９１８（特願２０１０−２５５３０２）
【考案の概要】
【考案が解決しようとする課題】
【０００４】  以上に述べた従来の発電、蓄光して動力を用いる非常用表示サインは、車の通行がなければ電力が得られず非常用表示サインとして視認できないという問題点を有していた。
【課題を解決するための手段】
【０００５】  本考案は、このような従来の技術が有していた問題点を解決しようとするものであり、昼間は集光板の光により視認させ、高輝度蓄光板とソーラーで蓄光し、夜間は蓄光板の発光とＬＥＤライト及び反射板（反射シール）により視認させることにより問題点を解決している。また、車などの乗り上げによる圧力から保護するために透明ポリカーボネート保護材で覆うことにより破壊されることを防止している。
【考案の効果】
【０００６】  上述したように、本考案のザ・ガイドオブ・スターライトは、例えば夜間のふ頭における端部（海と陸との境界）がわからず人、車が誤って海に転落するのを防ぐといった転落防止に役立つ。【０００７】  また、高輝度蓄光板及びＬＥＤライトから発光された光は、透明アクリル板を通して視認される効果を発揮する。【０００８】  上述と同様、夜間に車などの光をうけ反射板（反射シール）が光り視認させる効果を発揮する。【０００９】  また、例えば本体を細長く製造し発光体を矢印にすることにより、船舶に海岸線と方向を視認させることができるといった効果をも発揮する。【００１０】  さらに、公園などの光源がない交差点において、各々の端部設置することにより衝突防止機器となり、住民の安全対策に役立つ。
【図面の簡単な説明】
【００１１】
【図１】  本考案の実施例を示す断面図である。
【図２】  本考案の透明アクリル板、側面高輝度蓄光板ａ、側面高輝度蓄光板ｂ、反射板（反射シール）の斜視図である。
【図３】  本考案の平面図である。
【考案の実施するための最良の形態】
【００１２】  白色人造大理石、集光板、上面高輝度蓄光板及び透明ポリカーボネート保護板にはボルト穴が貫設されており、アンカーボルト等により設置部に固着される。また、ＬＥＤライトはその効果を最大限に発揮させるため、上面高輝度蓄光板の上面に係着されている。
【実施例】
【００１３】  以下、添付図面に従って一実施例を説明する。１は厚み１０ｍｍ〜２０ｍｍを有する白色大理石であり、１１のΦ１０ｍｍ〜１５ｍｍのボルト穴が設けられている。２は厚み１０ｍｍ〜２０ｍｍを有する赤色アクリル集光板であり、１１のΦ１０ｍｍ〜１５ｍｍのボルト穴が設けられている。３は透明アクリル板であり、厚み１０ｍｍ〜２０ｍｍを有し、２枚が接着されており、１０ｍｍ〜１５ｍｍを有する高輝度蓄光板が使用された４の側面高輝度蓄光板ａ、５の側面高輝度蓄光板ｂに固着され、略箱形に加工されている。４の側面高輝度蓄光板ａ、５の側面高輝度蓄光板ｂの側面には６の反射板（反射シール）が固着されている。略箱形の上面には、７のソーラー本体と８のＬＥＤライトが係着された９の上面高輝度蓄光板が固着されている。９の上面高輝度蓄光板は１０の透明ポリカーボネート保護板で覆われている。
【符号の説明】
【００１４】  １．白色大理石
２．赤色アクリル集光板
３．透明アクリル板
４．側面高輝度蓄光板ａ
５．側面高輝度蓄光板ｂ
６．反射板（反射シール）
７．ソーラー本体
８．ＬＥＤライト
９．上面高輝度蓄光板
１０．透明ポリカーボネート保護板
１１．ボルト穴
【図１】
0003186703.tif 000003
【図２】
0003186703.tif 000004
【図３】
0003186703.tif 000005
【手続補正書】
【提出日】平成25年7月26日(2013.7.26)
【手続補正１】
【補正対象書類名】実用新案登録請求の範囲
【補正対象項目名】全文
【補正方法】変更
【補正の内容】
【実用新案登録請求の範囲】
【請求項１】
白色人造大理石に集光板を固着し、集光板に透明アクリル板及び側面高輝度蓄光板ａ、側面高輝度蓄光板ｂを固着し、その上面にソーラー本体とＬＥＤライトを装備した上面高輝度蓄光板を固着し、側面高輝度蓄光板ａ、側面高輝度蓄光板ｂの両端に反射板を固着し、透明ポリカーボネート保護板を冠着した標識灯。
【手続補正２】
【補正対象書類名】明細書
【補正対象項目名】全文
【補正方法】変更
【補正の内容】
【考案の詳細な説明】
【技術分野】
【０００１】  本考案は、昼夜を問わず発光する標識灯に関するものである。
【背景技術】
【０００２】  従来の技術としては、トンネル内の自動車の通行を利用して発電、蓄電した電力を用いて発光・表示することが可能な非常用表示サインを有するものがある。（例えば特許文献１参照）
【先行技術文献】
【特許文献】
【０００３】
【特許文献１】特許公開２０１２−１０６９１８（特願２０１０−２５５３０２）
【考案の概要】
【考案が解決しようとする課題】
【０００４】  以上に述べた従来の発電、蓄光して動力を用いる非常用表示サインは、車の通行がなければ電力が得られず非常用表示サインとして視認できないという問題点を有していた。
【課題を解決するための手段】
【０００５】  本考案は、このような従来の技術が有していた問題点を解決しようとするものであり、昼間は集光板の光により視認させ、高輝度蓄光板とソーラーで蓄光し、夜間は蓄光板の発光とＬＥＤライト及び反射板により視認させることにより問題点を解決している。また、車などの乗り上げによる圧力から保護するために透明ポリカーボネート保護材で覆うことにより破壊されることを防止している。
【考案の効果】
【０００６】  上述したように、本考案の標識灯は、例えば夜間のふ頭における端部（海と陸との境界）がわからず人、車が誤って海に転落するのを防ぐといった転落防止に役立つ。【０００７】  また、高輝度蓄光板及びＬＥＤライトから発光された光は、透明アクリル板を通して視認される効果を発揮する。【０００８】  上述と同様、夜間に車などの光をうけ反射板が光り視認させる効果を発揮する。【０００９】  また、例えば本体を細長く製造し発光体を矢印にすることにより、船舶に海岸線と方向を視認させることができるといった効果をも発揮する。【００１０】  さらに、公園などの光源がない交差点において、各々の端部設置することにより衝突防止機器となり、住民の安全対策に役立つ。
【図面の簡単な説明】
【００１１】
【図１】本考案の実施例を示す断面図である。
【図２】本考案の透明アクリル板、側面高輝度蓄光板ａ、側面高輝度蓄光板ｂ、反射板の斜視図である。
【図３】本考案の平面図である。
【考案の実施するための最良の形態】
【００１２】  白色人造大理石、集光板、上面高輝度蓄光板及び透明ポリカーボネート保護板にはボルト穴が貫設されており、アンカーボルト等により設置部に固着される。また、ＬＥＤライトはその効果を最大限に発揮させるため、上面高輝度蓄光板の上面に係着されている。
【実施例】
【００１３】  以下、添付図面に従って一実施例を説明する。１は厚み１０ｍｍ〜２０ｍｍを有する白色大理石であり、１１のΦ１０ｍｍ〜１５ｍｍのボルト穴が設けられている。２は厚み１０ｍｍ〜２０ｍｍを有する赤色アクリル集光板であり、１１のΦ１０ｍｍ〜１５ｍｍのボルト穴が設けられている。３は透明アクリル板であり、厚み１０ｍｍ〜２０ｍｍを有し、２枚が接着されており、１０ｍｍ〜１５ｍｍを有する高輝度蓄光板が使用された４の側面高輝度蓄光板ａ、５の側面高輝度蓄光板ｂに固着され、略箱形に加工されている。４の側面高輝度蓄光板ａ、５の側面高輝度蓄光板ｂの側面には６の反射板が固着されている。略箱形の上面には、７のソーラー本体と８のＬＥＤライトが係着された９の上面高輝度蓄光板が固着されている。９の上面高輝度蓄光板は１０の透明ポリカーボネート保護板で覆われている。
【符号の説明】
【００１４】    １．白色大理石    ２．赤色アクリル集光板    ３．透明アクリル板    ４．側面高輝度蓄光板ａ    ５．側面高輝度蓄光板ｂ    ６．反射板    ７．ソーラー本体    ８．ＬＥＤライト    ９．上面高輝度蓄光板  １０．透明ポリカーボネート保護板  １１．ボルト穴
【手続補正３】
【補正対象書類名】図面
【補正対象項目名】図２
【補正方法】変更
【補正の内容】
【図２】
0003186703.tif 000006